(57)【要約】【課題】排水を直接封水部に流下させることなく流して、異音発生の少ない排水管路装置を提供すること。【解決手段】Ｓ字状トラップ１の、導入部となる屈曲導入管１８の管内下面のＡ部領域を衝接部１８ａとすると共に、この屈曲管１８から垂直下方に連続的に屈曲形成される管内上面のＢ部領域を当接部１８ｂとして構成することで、上方から流れてくる排水が先ず衝接部１８ａに当り、そこで飛び刎ねた排水が当接部１８ｂに当たって、排水の落下エネルギーがＳ字状トラップ１の封水部Ｈに導入される前に消費されるので、封水部Ｈでの異音発生が抑えられる。【選択図】  図３
2004300878.tif 000002
【特許請求の範囲】
【請求項１】
排水が排水投入側管路よりＳ字状トラップを介して排水出口側管路へ流れる排水管路装置であって、前記Ｓ字状トラップの排水投入側導入部は、上方からの排水を受け止め、かつその一部の排水を跳ね返す衝接部と、この衝接部からの跳ね返り排水を受け止める当接部とを有する管路で構成されていることを特徴とする排水管路装置。
【請求項２】
前記管路は屈曲管である請求項１に記載の排水管路装置。
【請求項３】
前記屈曲管はＳ字状トラップの上部湾曲部に添って配置されている請求項２に記載の排水管路装置。
【発明の詳細な説明】
【０００１】
【発明の属する技術分野】
本発明は、排水が排水投入側管路よりＳ字状トラップを介して排水出口側管路へ流れる排水管路装置に関する。
【０００２】
【従来の技術】
従来、流し台等の下部に設けたＳ字状トラップを設けた排水管路装置は、特許文献１の「生ゴミ処理装置」又は特許文献２の「排水トラップ」に記載の如く、周知である。図４は前記特許文献１に記載のトラップ部を有するキッチンシンク下部の全体構成図及びその一部拡大図を示したもので、シンク０１から流した排水はＳ字状トラップ０２を介して排水ホース０３側へと流れることができ、このトラップ０２の封水部０４のところで下水側からの臭気がキッチン側に逆流しないようにしている。
【０００３】
【特許文献１】
特開平９−１２２５２７号公報（段落０００２−０００３、図２）
【特許文献２】
特開平８−３３３７８４号公報（図１）
【０００４】
【発明が解決しようとする課題】
しかしながら、上記特許文献１又は２に記載のトラップはその排水導入部が、図４の拡大図に示すように、キッチンシンク側と垂直管０５で接続しているために、キッチンシンク０１から排水を流した場合に、排水が直接封水部０４に流下し、排水の飛び跳ね音が生じることがあった。
【０００５】
本発明は、このような状況に鑑みてなされたものであり、排水を直接封水部に流下させることなく流して、異音発生の少ない排水管路装置を提供することを目的とするものである。
【０００６】
【課題を解決するための手段】
上記課題を解決するために、本発明の排水管路装置は、排水が排水投入側管路よりＳ字状トラップを介して排水出口側管路へ流れる排水管路装置であって、前記Ｓ字状トラップの排水投入側導入部は、上方からの排水を受け止め、かつその一部の排水を跳ね返す衝接部と、この衝接部からの跳ね返り排水を受け止める当接部とを有する管路で構成されていることを特徴としている。
この特徴によれば、上方から流れてくる排水が先ず衝接部に当り、そこで飛び跳ねた排水が当接部に当たって、排水の落下エネルギーがＳ字状トラップに導入される前に消費されるので、封水部での異音発生が抑えられる。
【０００７】
本発明の排水管路装置において、前記管路は屈曲管であることが好ましい。
このようにすれば、Ｓ字状トラップへの導入部を屈曲管とすることで、衝接部と当接部との構成が容易である。
【０００８】
本発明の排水管路装置において、前記屈曲管はＳ字状トラップの上部湾曲部に添って配置されていることが好ましい。
このようにすれば、屈曲管を、場所を取ることなくコンパクトにまとめて配設できる。
【０００９】
【発明の実施の形態】
本発明の実施形態について図面を参照して説明する。
【００１０】
図１は本発明の一実施形態に係る排水管路装置をシンク排水口に適用した流し台の断面側面図、図２は排水管路装置の一部を構成するＳ字状トラップの断面図であり、図３はＳ字状トラップへの導入部に投入される排水の状態を示す作用説明図である。
【００１１】
図１に示す２は例えばキッチン流し台であって、このキッチン流し台２は、天板５の一部にシンク４が設けられていて、シンク４後方の上面には水道の蛇口６が臨むように配置されシンク４底面の一部に設けられた排水口８には、排水投入側管路となる大径管状の排水口本体１０が設けられ、排水口本体１０の底面排水口には継手１２ａを介してＳ字状トラップ１の導入部を構成する屈曲導入管１８と液密に接続されると共に、Ｓ字状トラップ１の拡径部３０の下端開口には継手１２ｂを介して排水出口側管路となる蛇腹状の排水用ホース１４が接続されている。
【００１２】
導入部となる屈曲導入管１８は下方が左側に屈曲形成され、図３に示すように、管内下面のＡ部領域を衝接部１８ａとし、この屈曲導入管１８から垂直下方に連続的に屈曲形成される管内上面のＢ部領域を当接部１８ｂとなるように構成されている。
【００１３】
この屈曲導入管１８の下方には、図２に示すように、これに連なる第１垂直管２４の下方に１８０度右側に湾曲した下部湾曲部２０が形成されると共に、この下部湾曲部２０から上方に立ち上げられる第２垂直管２５により封水部Ｈが形成されている。
【００１４】
第２垂直管２５は、第１垂直管２４と平行に近接配置されていて、この第２垂直管２５の上方には１８０度右側に湾曲した上部湾曲部２２が形成されており、上記屈曲導入管１８は上部湾曲部２２の湾曲曲線に添って近接配置されている。
【００１５】
そして、上部湾曲部２２の下方には、第３垂直管２６が連続的に形成されると共にこの第３垂直管２６の下方には拡径部３０が形成され、第３垂直管２６と拡径部３０の間は下部湾曲部２０の湾曲曲線に添って左方に湾曲する湾曲管２８として形成されその下端部には排水用ホース１４が接続されている。
【００１６】
次に、上記のように構成された本発明の排水管路装置の作用に付き図３を参照して以下に説明する。
【００１７】
先ず、キッチン流し台２のシンク４底面の排水口８を封鎖した図示しない栓体を開放することで、排水口８から一気に排出されたシンク４内の排水Ｗ１は、上端開口を通して屈曲導入管１８内に流入し、点線で示す垂直方向に落下して屈曲導入管１８管内下面の衝接部１８ａで受け止められて矢印方向に跳ね返される。
【００１８】
この衝接部１８ａで跳ね返された排水は、点線で示される軌跡を描きつつ屈曲導入管１８管内で対向する上面の当接部１８ｂに当接した後、この当接部１８ｂから第１垂直管２４に沿って流下し、その下方に貯留している封水部Ｈに流れ込む。
【００１９】
従って、上方から流下する排水Ｗ１は、先ず衝接部１８ａに当り、そこで飛び跳ねた排水Ｗ１が当接部１８ｂに当ることでその落下エネルギーがＳ字状トラップ１に導入される前に消費され、また、当接部１８ｂに当ることでその排水Ｗ１はその下方に貯留している封水部Ｈの水面Ｗ２に直接当接しないため、異音発生を抑えることができる。
【００２０】
更に、Ｓ字状トラップ１への導入部を屈曲導入管１８として構成することで、屈曲導入管１８の管内下面が衝接部１８ａとして構成されると共に、この屈曲部から垂直下方に連続的に屈曲形成される管内上面が当接部１８ｂとして形成されるので、これら衝接部１８ａと当接部１８ｂを容易に構成することができる。
【００２１】
また、屈曲導入管１８は、Ｓ字状トラップ１の上部湾曲部２２に添って配置されているので、この屈曲導入管１８を、場所を取ることなくコンパクトにまとめて配設することができる。
【００２２】
【発明の効果】
本発明は以下の効果を奏する。
【００２３】
（ａ）請求項１項の発明によれば、上方から流れてくる排水が先ず衝接部に当り、そこで飛び跳ねた排水が当接部に当たって、排水の落下エネルギーがＳ字状トラップに導入される前に消費されるので、封水部での異音発生が抑えられる。
【００２４】
（ｂ）請求項２項の発明によれば、Ｓ字状トラップへの導入部を屈曲管とすることで、衝接部と当接部との構成が容易である。
【００２５】
（ｃ）請求項３項の発明によれば、屈曲管を、場所を取ることなくコンパクトにまとめて配設できる。
【図面の簡単な説明】
【図１】本発明の一実施形態に係る排水管路装置をシンク排水口に適用した流し台の断面側面図である。
【図２】排水管路装置の一部を構成するＳ字状トラップの断面図である。
【図３】Ｓ字状トラップへの導入部に投入される排水の状態を示す作用説明図である。
【図４】従来のトラップ部を有するキッチンシンク下部の全体構成図及びその一部拡大図である。
【符号の説明】
１                      Ｓ字状トラップ
２                      キッチン流し台
４                      シンク
５                      天板
６                      蛇口
８                      排水口
１０                    排水口本体
１２ａ，１２ｂ          継手
１４                    排水用ホース
１８                    屈曲導入管
１８ａ                  衝接部
１８ｂ                  当接部
２０                    下部湾曲部
２２                    上部湾曲部
２４                    第１垂直管
２５                    第２垂直管
２６                    第３垂直管
２８                    湾曲管
３０                    拡径部
Ｈ                      封水部
Ｗ１                    排水
Ｗ２                    水面
【図１】
2004300878.tif 000003
【図２】
2004300878.tif 000004
【図３】
2004300878.tif 000005
【図４】
2004300878.tif 000006